(57)【要約】【課題】個人差がある被検者の検査対象部であっても、がんが関与する異常な血管新生の領域を高精度に検出することができること。【解決手段】本発明は、装着部１３と、覆い部１４と、４個の加圧部１２と、を備える。この結果、本発明は、４個の加圧部１２により、被検者１００の検査対象部１０１の一部分を加圧することができる。これにより、本発明は、個人差がある被検者１００の検査対象部１０１であっても、がんが関与する異常な血管新生の領域１０２を高精度に検出することができる。【選択図】        図１
2019033780.tif 000002
【特許請求の範囲】
【請求項１】
被検者に装着される装着部と、
前記装着部に設けられていて、前記装着部が前記被検者に装着されると前記被検者の検査対象部を覆う覆い部と、
前記覆い部に設けられていて、前記装着部が前記被検者に装着されると前記検査対象部に配置されて、前記検査対象部の一部分を加圧する少なくとも１個の加圧部と、
を備え、
前記覆い部および少なくとも１個の前記加圧部は、光透過性の部材からなる、
ことを特徴とする検査器具。
【請求項２】
前記加圧部は、圧縮空気が供給されることにより、前記検査対象部の一部分を加圧する可撓性を有するバルーンからなる、
ことを特徴とする請求項１に記載の検査器具。
【請求項３】
前記装着部は、前記被検者に粘着する粘着性を有する部材からなる、
ことを特徴とする請求項１または２に記載の検査器具。
【請求項４】
前記装着部と前記覆い部とは、一体に構成されていて、
前記覆い部には、前記検査対象部と前記覆い部との間の空間中の空気を外側に抜いて、前記検査対象部と前記覆い部との間の空間中を負圧となして、前記装着部を前記被検者に密着させる、少なくとも１個の空気排出口が、設けられている、
ことを特徴とする請求項３に記載の検査器具。
【請求項５】
前記装着部は、下着タイプの装着部である、
ことを特徴とする請求項１または２に記載の検査器具。
【請求項６】
前記装着部は、サポータタイプの装着部である、
ことを特徴とする請求項１または２に記載の検査器具。
【請求項７】
前記覆い部の内側に設けられていて、前記検査対象部の内圧を検出して電気信号として出力する圧力センサを備える、
ことを特徴とする請求項１〜６のいずれか１項に記載の検査器具。
【請求項８】
前記覆い部の内側に設けられている内圧受部と、
一端が前記内圧受部に接続されていて、かつ、一端以外の部分が前記覆い部の外側に配置されている管部と、
前記内圧受部の内部および前記管部の内部に封入されている流体と、
前記管部の他端に接続されていて、前記検査対象部の内圧を前記流体を介して検出して電気信号として出力する圧力センサと、
を備える、
ことを特徴とする請求項１〜６のいずれか１項に記載の検査器具。
【請求項９】
前記検査対象部に光を照射する光照射部と、
前記検査対象部からの透過光または反射光により前記検査対象部を撮像する撮像部と、
を備え、
前記光照射部および前記撮像部は、前記装着部、前記覆い部のうち少なくともいずれか一方に設けられている、
ことを特徴とする請求項１〜８のいずれか１項に記載の検査器具。
【請求項１０】
被検者に装着される装着部と、
前記装着部に設けられていて、前記装着部が前記被検者に装着されると前記被検者の検査対象部を覆う覆い部と、
を備え、
前記装着部は、前記被検者に粘着する粘着性を有する部材からなり、
前記覆い部は、可撓性および光透過性の部材からなり、
前記装着部と前記覆い部とは、一体に構成されていて、
前記覆い部には、複数個の流体供給排出口が設けられている、
ことを特徴とする検査器具。
【請求項１１】
複数個の前記流体供給排出口にそれぞれ取り付けられる複数本の流体供給排出管と、
流体供給排出部に接続される主流体供給排出管と、
複数本の前記流体供給排出管および前記主流体供給排出管がそれぞれ接続されているコネクタ部と、
を備え、
前記コネクタ部は、前記検査対象部と前記覆い部との間の流体を排出した後の前記覆い部と前記検査対象部との間の負圧を維持し、また、前記検査対象部の一部分と前記覆い部の一部分との間の加圧空間部中の気圧を保持する、
ことを特徴とする請求項１０に記載の検査器具。
【請求項１２】
前記覆い部の内側に設けられていて、前記検査対象部の内圧を検出して電気信号として出力する圧力センサを備える、
ことを特徴とする請求項１０または１１に記載の検査器具。
【請求項１３】
前記覆い部の内側に設けられている内圧受部と、
一端が前記内圧受部に接続されていて、かつ、一端以外の部分が前記覆い部の外側に配置されている管部と、
前記内圧受部の内部および前記管部の内部に封入されている流体と、
前記管部の他端に接続されていて、前記検査対象部の内圧を前記流体を介して検出して電気信号として出力する圧力センサと、
を備える、
ことを特徴とする請求項１０または１１に記載の検査器具。
【請求項１４】
前記検査対象部に光を照射する光照射部と、
前記検査対象部からの透過光または反射光により前記検査対象部を撮像する撮像部と、
を備え、
前記光照射部および前記撮像部は、前記装着部、前記覆い部のうち少なくともいずれか一方に設けられている、
ことを特徴とする請求項１０〜１３のいずれか１項に記載の検査器具。
【請求項１５】
被検者に装着される装着部と、
前記装着部に設けられていて、前記装着部が前記被検者に装着されると前記被検者の検査対象部に配置されて、前記検査対象部の一部分を加圧する少なくとも１個の加圧部と、
を備え、
少なくとも１個の前記加圧部は、光透過性の部材からなる、
ことを特徴とする検査器具。
【請求項１６】
前記加圧部は、一端が前記装着部に固定されていて、他端を引くことにより、前記検査対象部の一部分を加圧するリボンからなる、
ことを特徴とする請求項１５に記載の検査器具。
【請求項１７】
前記装着部は、前記被検者に粘着する粘着性を有する部材からなる、
ことを特徴とする請求項１５または１６に記載の検査器具。
【請求項１８】
前記装着部は、下着タイプの装着部である、
ことを特徴とする請求項１５または１６に記載の検査器具。
【請求項１９】
前記装着部は、サポータタイプの装着部である、
ことを特徴とする請求項１５または１６に記載の検査器具。
【請求項２０】
前記加圧部の内側に設けられていて、前記検査対象部の内圧を検出して電気信号として出力する圧力センサを備える、
ことを特徴とする請求項１５〜１９のいずれか１項に記載の検査器具。
【請求項２１】
前記加圧部の内側に設けられている内圧受部と、
一端が前記内圧受部に接続されていて、かつ、一端以外の部分が前記加圧部の外側に配置されている管部と、
前記内圧受部の内部および前記管部の内部に封入されている流体と、
前記管部の他端に接続されていて、前記検査対象部の内圧を前記流体を介して検出して電気信号として出力する圧力センサと、
を備える、
ことを特徴とする請求項１５〜１９のいずれか１項に記載の検査器具。
【請求項２２】
前記検査対象部に光を照射する光照射部と、
前記検査対象部からの透過光または反射光により前記検査対象部を撮像する撮像部と、
を備え、
前記光照射部および前記撮像部は、前記装着部に設けられている、
ことを特徴とする請求項１５〜２１のいずれか１項に記載の検査器具。
【請求項２３】
被検者の検査対象部の一部分を加圧する少なくとも１個の加圧部を備え、
前記加圧部は、圧縮空気を前記検査対象部の一部に噴射させることにより、前記検査対象部の一部分を加圧するエアガンもしくはエアノズルからなる、
ことを特徴とする検査器具。
【請求項２４】
被検者の検査対象部の一部分を加圧する少なくとも１個の加圧部を備え、
前記加圧部は、先端に押圧部を有し、前記押圧部を前記検査対象部の一部に押圧させることにより、前記検査対象部の一部分を加圧する加圧ハンドもしくは加圧ロッドからなる、
ことを特徴とする検査器具。
【請求項２５】
前記検査対象部に光を照射する光照射部と、
前記検査対象部からの透過光または反射光により前記検査対象部を撮像する撮像部と、
を備える、
ことを特徴とする請求項２３または２４に記載の検査器具。
【請求項２６】
前記検査対象部に光を照射する光照射部と、
前記検査対象部からの透過光または反射光により前記検査対象部を撮像する撮像部と、
前記の請求項１〜６、１０、１１、１５〜１９、２３、２４のいずれか１項に記載の検査器具と、
を備える、
ことを特徴とする検査装置。
【請求項２７】
前記検査対象部に光を照射する光照射部と、
前記検査対象部からの透過光または反射光により前記検査対象部を撮像する撮像部と、
前記の請求項７、８、１２、１３、２０、２１のいずれか１項に記載の検査器具と、
前記検査器具の前記圧力センサに接続されていて、前記検査器具の前記加圧部の加圧を制御する制御部と、
を備える、
ことを特徴とする検査装置。
【請求項２８】
前記撮像部により撮像された前記検査対象部の画像を処理する画像処理部を備える、
ことを特徴とする請求項２６または２７に記載の検査装置。
【請求項２９】
前記画像処理部により処理された前記検査対象部の画像を表示する表示部を備える、
ことを特徴とする請求項２８に記載の検査装置。
【請求項３０】
移動式スタンドを備え、
前記光照射部、前記撮像部、前記画像処理部および前記表示部は、前記移動式スタンドに装備されている、
ことを特徴とする請求項２９に記載の検査装置。
【請求項３１】
医療用超音波検査装置を備える、
ことを特徴とする請求項２６〜３０のいずれか１項に記載の検査装置。
【発明の詳細な説明】
【技術分野】
【０００１】
本発明は、がん検査器具に関する。また、本発明は、がん検査装置（がん検査システム）に関する。
【背景技術】
【０００２】
被検者の検査対象部を加圧してがんを検出するがん検査装置としては、以下の非特許文献１がある。非特許文献１のがん検査装置は、移動式スタンドと、移動式スタンドに設けられている照明装置、ＬＥＤ、ホルダ、ＣＣＤカメラ、ディスプレおよびコンピュータと、を備えるものである。ＬＥＤは、照明装置内に複数個設けられている。ＣＣＤカメラは、ホルダ内に設けられている。
【０００３】
以下、非特許文献１のがん検査装置の作用について説明する。被検者の検査対象部（一方の乳房）の全体を照明装置の上に載せて照明装置とホルダとの間に配置させる。ＬＥＤから近赤外光を検査対象部に照射し、また、ホルダにより検査対象部の主として上下の圧力（１０ｍｍＨｇ）を加える。検査対象部の血管中の酸素化ヘモグロビン（オキシヘモグロビン）と脱酸素化ヘモグロビン（デオキシヘモグロビン）との情報を、分光法により、ＣＣＤカメラで取得する。取得した情報を、コンピュータで所定のソフトウエアに基づいて血管画像として処理してディスプレに表示する。医師は、ディスプレに表示された血管画像において、がんが関与する異常な血管新生の領域の有無を観察してがんの有無を判断する。
【０００４】
ここで、血管新生は、既存の血管から新たな血管枝が分岐して血管網を構築する生理的現象である。がんが関与する場合の血管新生は、がんの周りにがんを支持して起こるため、がんの成長に伴って血管が増加しかつ血液量が増加する。がんの成長に伴って増加した血管（以下、「異常血管」と称する）は、良性組織や正常組織を支える血管（以下、「正常血管」と称する）と、異なる。
【０００５】
また、酸素化ヘモグロビンと脱酸素化ヘモグロビンとは、光の吸収波長において差がある。しかも、検査対象部に圧力をかけて血管に圧縮刺激を与えると、血管中の血液量が変化し、この圧縮刺激に対する反応代謝により、酸素化ヘモグロビンが脱酸素化ヘモグロビンに変化するので、脱酸素化ヘモグロビンが増加する。このため、酸素化ヘモグロビンと脱酸素化ヘモグロビンとの比は、異常血管と正常血管との間において差があり、かつ、加圧の前後において変化する。
【０００６】
このように、非特許文献１のがん検査装置は、被検者の検査対象部の全体に加圧と光照射とを行って、異常血管における酸素化ヘモグロビン、脱酸素化ヘモグロビンの比と、異常血管の周囲の正常血管における酸素化ヘモグロビン、脱酸素化ヘモグロビンの比と、の差に基づいて、がんが関与する異常な血管新生の領域を検出するものである。
【先行技術文献】
【非特許文献】
【０００７】
【非特許文献１】ジィ．ジョン  ザング，ピーエッチ．ディ．（Ｇ．Ｊｏｈｎ  Ｚｈａｎｇ，  Ｐｈ．Ｄ．）著、「ドビ  コンフォートスキャン  ティエム  システム  クリニカル  エフェクティブネス  エバルエーション  レポート（ＤＯＢＩ  ＣＯＭＦＯＲＴＳＣＡＮ  ＴＭ  ＳＹＳＴＥＭ  ＣＬＩＮＩＣＡＬ  ＥＦＦＥＣＴＩＶＥＮＥＳＳ  ＥＶＡＬＵＡＴＩＯＮ  ＲＥＰＯＲＴ）」、（イタリア共和国）、ドビ  メディカル  インターナショナル（ＤＯＢＩ  ＭＥＤＩＣＡＬ  ＩＮＴＥＲＮＡＴＩＯＮＡＬ）、２０１３年３月２７日、ｐ．３６−３９
【発明の概要】
【発明が解決しようとする課題】
【０００８】
非特許文献１のがん検査装置は、被検者の検査対象部の全体を加圧するものである。しかしながら、被検者の検査対象部の大きさや形状においては、個人差（個体差）がある。このため、個人差がある被検者の検査対象部の主として上下に加圧した場合に、被検者によっては、検査対象部の全体に亘って均一な加圧力が得られない場合がある。この場合においては、がんが関与する異常な血管新生の領域を高精度に検出することができない場合がある。
【０００９】
本発明が解決しようとする課題は、個人差がある被検者の検査対象部であっても、がんが関与する異常な血管新生の領域を高精度に検出することができる検査器具、検査装置を提供することにある。
【課題を解決するための手段】
【００１０】
本発明の検査器具は、被検者に装着される装着部と、装着部に設けられていて、装着部が被検者に装着されると被検者の検査対象部を覆う覆い部と、覆い部に設けられていて、装着部が被検者に装着されると検査対象部に配置されて、検査対象部の一部分を加圧する少なくとも１個の加圧部と、を備え、覆い部および少なくとも１個の加圧部が、光透過性の部材からなる、ことを特徴とする。
【００１１】
本発明の検査器具は、加圧部が、圧縮空気が供給されることにより、検査対象部の一部分を加圧する可撓性を有するバルーンからなる、ことが好ましい。
【００１２】
本発明の検査器具は、装着部が、被検者に粘着する粘着性を有する部材からなる、ことが好ましい。
【００１３】
本発明の検査器具は、装着部と覆い部とが、一体に構成されていて、覆い部には、検査対象部と覆い部との間の空間中の空気を外側に抜いて、検査対象部と覆い部との間の空間中を負圧となして、装着部を被検者に密着させる、少なくとも１個の空気排出口が、設けられている、ことが好ましい。
【００１４】
本発明の検査器具は、装着部が、下着タイプの装着部である、ことが好ましい。
【００１５】
本発明の検査器具は、装着部が、サポータタイプの装着部である、ことが好ましい。
【００１６】
本発明の検査器具は、覆い部の内側に設けられていて、検査対象部の内圧を検出して電気信号として出力する圧力センサを備える、ことが好ましい。
【００１７】
本発明の検査器具は、覆い部の内側に設けられている内圧受部と、一端が内圧受部に接続されていて、かつ、一端以外の部分が覆い部の外側に配置されている管部と、内圧受部の内部および管部の内部に封入されている流体と、管部の他端に接続されていて、検査対象部の内圧を流体を介して検出して電気信号として出力する圧力センサと、を備える、ことが好ましい。
【００１８】
本発明の検査器具は、検査対象部に光を照射する光照射部と、検査対象部からの透過光または反射光により検査対象部を撮像する撮像部と、を備え、光照射部および撮像部が、装着部、覆い部のうち少なくともいずれか一方に設けられている、ことが好ましい。
【００１９】
本発明の検査器具は、被検者に装着される装着部と、装着部に設けられていて、装着部が被検者に装着されると被検者の検査対象部を覆う覆い部と、を備え、装着部が、被検者に粘着する粘着性を有する部材からなり、覆い部が、可撓性および光透過性の部材からなり、装着部と覆い部とが、一体に構成されていて、覆い部には、複数個の流体供給排出口が設けられている、ことを特徴とする。
【００２０】
本発明の検査器具は、複数個の流体供給排出口にそれぞれ取り付けられる複数本の流体供給排出管と、流体供給排出部に接続される主流体供給排出管と、複数本の流体供給排出管および主流体供給排出管がそれぞれ接続されているコネクタ部と、を備え、コネクタ部が、検査対象部と覆い部との間の流体を排出した後の覆い部と検査対象部との間の負圧を維持し、また、検査対象部の一部分と覆い部の一部分との間の加圧空間部中の気圧を保持する、ことが好ましい。
【００２１】
本発明の検査器具は、覆い部の内側に設けられていて、検査対象部の内圧を検出して電気信号として出力する圧力センサを備える、ことが好ましい。
【００２２】
本発明の検査器具は、覆い部の内側に設けられている内圧受部と、一端が内圧受部に接続されていて、かつ、一端以外の部分が覆い部の外側に配置されている管部と、内圧受部の内部および管部の内部に封入されている流体と、管部の他端に接続されていて、検査対象部の内圧を流体を介して検出して電気信号として出力する圧力センサと、を備える、ことが好ましい。
【００２３】
本発明の検査器具は、検査対象部に光を照射する光照射部と、検査対象部からの透過光または反射光により検査対象部を撮像する撮像部と、を備え、光照射部および撮像部が、装着部、覆い部のうち少なくともいずれか一方に設けられている、ことが好ましい。
【００２４】
本発明の検査器具は、被検者に装着される装着部と、装着部に設けられていて、装着部が被検者に装着されると被検者の検査対象部に配置されて、検査対象部の一部分を加圧する少なくとも１個の加圧部と、を備え、少なくとも１個の加圧部が、光透過性の部材からなる、ことを特徴とする。
【００２５】
本発明の検査器具は、加圧部が、一端が装着部に固定されていて、他端を引くことにより、検査対象部の一部分を加圧するリボンからなる、ことが好ましい。
【００２６】
本発明の検査器具は、装着部が、被検者に粘着する粘着性を有する部材からなる、ことが好ましい。
【００２７】
本発明の検査器具は、装着部が、下着タイプの装着部である、ことが好ましい。
【００２８】
本発明の検査器具は、装着部が、サポータタイプの装着部である、ことが好ましい。
【００２９】
本発明の検査器具は、加圧部の内側に設けられていて、検査対象部の内圧を検出して電気信号として出力する圧力センサを備える、ことが好ましい。
【００３０】
本発明の検査器具は、加圧部の内側に設けられている内圧受部と、一端が内圧受部に接続されていて、かつ、一端以外の部分が加圧部の外側に配置されている管部と、内圧受部の内部および管部の内部に封入されている流体と、管部の他端に接続されていて、検査対象部の内圧を流体を介して検出して電気信号として出力する圧力センサと、を備える、ことが好ましい。
【００３１】
本発明の検査器具は、検査対象部に光を照射する光照射部と、検査対象部からの透過光または反射光により検査対象部を撮像する撮像部と、を備え、光照射部および撮像部が、装着部に設けられている、ことが好ましい。
【００３２】
本発明の検査器具は、被検者の検査対象部の一部分を加圧する少なくとも１個の加圧部を備え、加圧部が、圧縮空気を検査対象部の一部に噴射させることにより、検査対象部の一部分を加圧するエアガンもしくはエアノズルからなる、ことを特徴とする。
【００３３】
本発明の検査器具は、被検者の検査対象部の一部分を加圧する少なくとも１個の加圧部を備え、加圧部が、先端に押圧部を有し、押圧部を前記検査対象部の一部に押圧させることにより、検査対象部の一部分を加圧する加圧ハンドもしくは加圧ロッドからなる、ことを特徴とする。
【００３４】
本発明の検査器具は、検査対象部に光を照射する光照射部と、検査対象部からの透過光または反射光により検査対象部を撮像する撮像部と、を備える、ことが好ましい。
【００３５】
本発明の検査装置は、検査対象部に光を照射する光照射部と、検査対象部からの透過光または反射光により検査対象部を撮像する撮像部と、前記の検査器具（特許請求の範囲の請求項１〜６、１０、１１、１５〜１９、２３、２４のいずれか１項に記載の検査器具）と、を備える、ことを特徴とする。
【００３６】
本発明の検査装置は、検査対象部に光を照射する光照射部と、検査対象部からの透過光または反射光により検査対象部を撮像する撮像部と、前記の検査器具（特許請求の範囲の請求項７、８、１２、１３、２０、２１のいずれか１項に記載の検査器具）と、検査器具の圧力センサに接続されていて、検査器具の加圧部の加圧を制御する制御部と、を備える、ことを特徴とする。
【００３７】
本発明の検査装置は、撮像部により撮像された検査対象部の画像を処理する画像処理部を備える、ことが好ましい。
【００３８】
本発明の検査装置は、画像処理部により処理された検査対象部の画像を表示する表示部を備える、ことが好ましい。
【００３９】
本発明の検査装置は、移動式スタンドを備え、光照射部、撮像部、画像処理部および表示部が、移動式スタンドに装備されている、ことが好ましい。
【００４０】
本発明の検査装置は、医療用超音波検査装置を備える、ことが好ましい。
【発明の効果】
【００４１】
本発明は、個人差がある被検者の検査対象部であっても、がんが関与する異常な血管新生の領域を高精度に検出することができる検査器具、検査装置を提供することができる。
【図面の簡単な説明】
【００４２】
【図１】図１は、本発明の実施形態１に係る検査器具、検査装置を示す使用状態の概略図である。
【図２】図２は、光照射部と撮像部とを示す概略図（図１におけるＩＩ−ＩＩ線概略矢視図）である。
【図３】図３は、使用状態の加圧部、装着部および覆い部を示す概略図である。
【図４】図４は、使用状態の加圧部、装着部および覆い部を示す概略図（図３におけるＩＶ−ＩＶ線概略矢視図）である。
【図５】図５は、本発明の実施形態２に係る検査器具、検査装置を示す使用状態の概略図である。
【図６】図６は、使用状態の加圧部および装着部を示す概略図（図５におけるＶＩ概略矢視図）である。
【図７】図７は、本発明の実施形態３に係る検査器具、検査装置を示す使用状態の概略図である。
【図８】図８は、使用状態の加圧部を示す概略図（図７におけるＶＩＩＩ概略矢視図）である。
【図９】図９は、本発明の実施形態４に係る検査器具、検査装置を示す使用状態の概略図である。
【図１０】図１０は、使用状態の加圧部を示す概略図（図９におけるＸ概略矢視図）である。
【図１１】図１１は、本発明の実施形態５に係る検査器具、検査装置を示す使用状態の概略図である。
【図１２】図１２は、減圧・加圧後の使用状態を示す概略図である。
【図１３】図１３は、本発明の実施形態６に係る検査器具、検査装置を示す使用状態の概略図である。
【図１４】図１４は、本発明の実施形態７に係る検査器具、検査装置を示す使用状態の概略図である。
【図１５】図１５は、本発明の実施形態８に係る検査器具、検査装置を示す使用状態の概略図である。
【図１６】図１６は、使用状態の加圧部、装着部および覆い部を示す概略図（図１５におけるＸＶＩ概略矢視図）である。
【図１７】図１７は、本発明の実施形態９に係る検査器具、検査装置を示す使用状態の概略図である。
【図１８】図１８は、使用状態の加圧部、装着部、覆い部、流体供給排出管およびコネクタ部を示す概略図（図１７におけるＸＶＩＩＩ概略矢視図）である。
【図１９】図１９は、本発明の実施形態１０に係る検査器具、検査装置を示す使用状態の概略図である。
【図２０】図２０は、本発明の実施形態１１に係る検査器具、検査装置を示す使用状態の概略図である。
【図２１】図２１は、内圧受部、管部、流体および圧力センサを示す概略図である。
【図２２】図２２は、本発明の実施形態１２に係る検査器具、検査装置を示す減圧前の使用状態の概略図である。
【図２３】図２３は、減圧前の使用状態を示す正面概略図（図２２におけるＸＸＩＩＩ概略矢視図）である。
【図２４】図２４は、減圧密着および加圧部による加圧状態を示す断面概略図である。
【図２５】図２５は、減圧密着および加圧部による加圧状態を示す正面概略図（図２４におけるＸＸＶ概略矢視図）である。
【発明を実施するための形態】
【００４３】
以下、本発明に係る検査器具、検査装置の実施形態（実施例）の１２例について、図面を参照しながら詳細に説明する。なお、図面においては、概略図であるため、主要部品を図示し、主要部品以外の部品の図示を省略し、また、ハッチングを省略する。
【００４４】
（実施形態１の構成の説明）
図１〜図４は、本発明に係る検査器具、検査装置の実施形態１を示す。以下、この実施形態１に係る検査器具１１、検査装置１の構成について説明する。
【００４５】
（検査装置１の説明）
この実施形態１に係る検査装置１は、図１に示すように、検査器具１１と、光照射部１５と、撮像部１６と、画像処理部１７と、表示部１８と、移動式スタンド１９と、を備える。検査装置１は、被検者１００の検査対象部（この例では、乳房）１０１中のがんが関与する異常な血管新生の領域１０２を検出するものである。
【００４６】
（検査器具１１の説明）
検査器具１１は、図１、図３、図４に示すように、加圧部１２と、装着部１３と、覆い部１４と、を備える。装着部１３は、被検者１００に装着されるものである。装着部１３は、この例では、環形状もしくは円環形状をなし、被検者１００の検査対象部１０１の周囲に密着状態もしくはほぼ密着状態で粘着する粘着性を有する部材からなる。装着部１３の部材としては、この例では、シリコーンゴムの内面（被検者１００に粘着させる側の面）にシリコーンジェルを設けたものである。
【００４７】
覆い部１４は、この例では、カップ形状をなし、光透過性（少なくとも、光照射部１５から照射される所定の波長の光に対して透過性）および剛性を有する部材からなる。覆い部１４の開口部の周縁部は、装着部１３に一体に設けられている。覆い部１４は、装着部１３が被検者１００に装着されると、検査対象部１０１を覆うものである。なお、覆い部１４の素材としては、たとえば、シリコーンなどからなり、波長が６４０ｎｍ付近の光の透過性が良い素材が好ましい。また、この実施形態１に係る検査器具１１、検査装置１の加圧および光照射による検査と併用して医療用超音波検査装置の超音波による検査を行う場合(後述の実施形態１２及び図２４参照)には、光透過性の素材に併せて、音響インピーダンスが検査対象部１０１の皮膚（肌）とほぼ同等の１．５２Ｍｋｇ／ｓ・ｍ 2 である素材が好ましい。
【００４８】
加圧部１２は、この例では、バルーンすなわち光透過性（少なくとも、光照射部１５から照射される所定の波長の光に対して透過性）および可撓性を有する空気袋（加圧袋）である。加圧部１２は、覆い部１４の内面（検査対象部１０１に対向する面）に複数個、この例では、４個一体に設けられている。４個の加圧部１２は、覆い部１４に対して上下左右に固定されている。４個の加圧部１２は、検査対象部１０１の上下左右の一部分を加圧するものである。なお、加圧部１２の個数や固定位置などは、限定されない。なお、加圧部１２の素材としては、前記の覆い部１４の素材と同様に、たとえば、シリコーンなどからなり、波長が６４０ｎｍ付近の光の透過性が良い素材が好ましい。また、この実施形態１に係る検査器具１１、検査装置１の加圧および光照射による検査と併用して医療用超音波検査装置の超音波による検査を行う場合には、光透過性の素材に併せて、音響インピーダンスが検査対象部１０１の皮膚（肌）とほぼ同等の１．５２Ｍｋｇ／ｓ・ｍ 2 である素材が好ましい。
【００４９】
４個の加圧部１２には、可撓性のチューブ状の流体供給排出管１２０がそれぞれ着脱可能に接続されている。４本の流体供給排出管１２０は、覆い部１４の内面側から外側にそれぞれ引き出されている。４本の流体供給排出管１２０は、流体供給排出部１２１にそれぞれ着脱可能に接続されている。なお、４本の流体供給排出管１２０は、４個の加圧部１２、流体供給排出部１２１に固定的に接続されていても良い。
【００５０】
流体供給排出部１２１は、この例では、コンプレッサであって、４本の流体供給排出管１２０を介して、４個の加圧部１２中にそれぞれ圧縮空気を供給する。これにより、４個の加圧部１２は、検査対象部１０１の上下左右の一部分を加圧することができる。検査対象部１０１に加える圧力は、この例では、１０〜２０ｍｍＨｇである。流体供給排出部１２１は、４個の加圧部１２中の圧縮空気をそれぞれ排出する機能（真空ポンプ機能）を有するものであっても良い。流体供給排出部１２１の流体の供給制御および排出制御は、図示しないコンピュータ、もしくは、後述する画像処理部１７のコンピュータ、により行われる。
【００５１】
（光照射部１５の説明）
光照射部１５は、図１、図２に示すように、受台１５０と、複数個の光源１５１と、を有する。受台１５０は、検査対象部１０１の下側に配置される。受台１５０は、検査対象部１０１の外形に倣って円弧形状をなす。光源１５１は、所定の波長の光、この例では、近赤外光を放射させるＬＥＤ、ＯＥＬまたはＯＬＥＤ（有機ＥＬ）などの自発光半導体型発光素子（半導体発光素子）である。光源１５１は、受台１５０内に２個ずつ５か所に等間隔もしくはほぼ等間隔に計１０個配置されている。なお、光源１５１の個数や配置などは、特に限定しない。
【００５２】
（撮像部１６の説明）
撮像部１６は、図１、図２に示すように、ホルダ１６０と、ＣＣＤカメラ１６１と、を有する。ホルダ１６０は、検査対象部１０１の下側に配置される。ＣＣＤカメラ１６１は、光源１５１からの光であって、検査対象部１０１を透過した光により、検査対象部１０１を撮像するものである。ＣＣＤカメラ１６１は、検査対象部１０１の血管中の酸素化ヘモグロビンと脱酸素化ヘモグロビンとの情報を分光法により取得する。
【００５３】
（画像処理部１７の説明）
画像処理部１７は、この例では、コンピュータであって、撮像部１６により撮像された検査対象部１０１の画像を処理するものである。すなわち、画像処理部１７は、ＣＣＤカメラ１６１で取得した検査対象部１０１の血管中の酸素化ヘモグロビンと脱酸素化ヘモグロビンとの情報を、所定のソフトウエアに基づいて血管画像として処理する。
【００５４】
（表示部１８）
表示部１８は、この例では、液晶ディスプレもしくは有機ＥＬディスプレであって、画像処理部１７により処理された検査対象部１０１の画像を表示する。すなわち、表示部１８は、ＣＣＤカメラ１６１で取得した検査対象部１０１の血管中の酸素化ヘモグロビンと脱酸素化ヘモグロビンとの情報であって、画像処理部１７の所定のソフトウエアに基づいて処理された血管画像を表示する。表示部１８は、タッチパネル式であって、画面上の表示を押すことにより、検査装置１を操作することができる。
【００５５】
（移動式スタンド１９）
移動式スタンド１９には、光照射部１５、撮像部１６、画像処理部１７、表示部１８、流体供給排出部１２１、駆動部１９０および電源１９１が、装備されている。移動式スタンド１９は、ストッパ付のキャスタを備えていて、手動により移動させることができる。
【００５６】
駆動部１９０は、光照射部１５および撮像部１６を移動式スタンド１９に対してこの例では上下方向に移動させるものである。また、駆動部１９０は、移動式スタンド１９を自走させるものであっても良い。電源１９１は、検査装置１を作動させるものである。
【００５７】
（実施形態１の作用の説明）
この実施形態１に係る検査装置１、検査器具１１は、以上のごとき構成からなり、以下、その作用について説明する。
【００５８】
被検者１００は、検査器具１１の装着部１３を装着して、検査器具１１の覆い部１４で検査対象部１０１を覆う。この時、検査器具１１は、検査装置１に対して別体であるから、被検者１００は、更衣室等で、検査器具１１を装備することができる。
【００５９】
検査者は、被検者１００に装着された検査器具１１の４個の加圧部１２に４本の流体供給排出管１２０を着脱可能に接続し、４本の流体供給排出管１２０を流体供給排出部１２１に着脱可能に接続する。なお、４本の流体供給排出管１２０は、検査器具１１の４個の加圧部１２、流体供給排出部１２１に予め接続していても良い。
【００６０】
被検者１００は、検査対象部１０１である一方の乳房もしくは両方の乳房を、光照射部１５の受台１５０の上に載せて光照射部１５の受台１５０と撮像部１６のホルダ１６０との間に配置させる。光照射部１５の光源１５１は、近赤外光を検査対象部１０１に照射する。また、流体供給排出部１２１は、圧縮空気を４本の流体供給排出管１２０を介して検査器具１１の４個の加圧部１２のうち任意の加圧部１２に供給する。この加圧部１２は、検査対象部１０１の一部分を所定の圧力（１０〜２０ｍｍＨｇ）で加圧する。
【００６１】
この例では、４個の加圧部１２が検査対象部１０１の上側の部分、下側の部分、右側の部分、左側の部分、を加圧する。加圧する部分は、１箇所でも複数個所同時でも良い。また、加圧部１２の位置や個数により、検査対象部１０１への押圧箇所の位置や箇所数が変わり、調整することができる。
【００６２】
撮像部１６のＣＣＤカメラ１６１は、検査対象部１０１の血管中の酸素化ヘモグロビンと脱酸素化ヘモグロビンとの情報を、分光法により、取得する。画像処理部１７は、取得した情報を、所定のソフトウエアに基づいて血管画像として処理する。表示部１８は、画像処理部１７で画像処理された血管画像を表示する。医師は、表示部１８に表示された血管画像において、がんが関与する異常な血管新生の領域１０２の有無を観察してがんの有無を判断する。
【００６３】
（実施形態１の効果の説明）
この実施形態１に係る検査装置１、検査器具１１は、以上のごとき構成および作用からなり、以下、その効果について説明する。
【００６４】
この実施形態１に係る検査装置１、検査器具１１は、４個の加圧部１２により、被検者１００の検査対象部１０１の一部分を加圧するものである。この結果、この実施形態１に係る検査装置１、検査器具１１は、大きさや形状において個人差（個体差）がある被検者１００の検査対象部１０１を部分的に均一に加圧することができ、検査対象部１０１の血管中の酸素化ヘモグロビンと脱酸素化ヘモグロビンとの情報を高精度に取得することができる。これにより、この実施形態１に係る検査装置１、検査器具１１は、個人差がある被検者１００の検査対象部１０１であっても、がんが関与する異常な血管新生の領域１０２を高精度に検出することができる。
【００６５】
この実施形態１に係る検査装置１、検査器具１１は、４個の加圧部１２により、被検者１００の検査対象部１０１の一部分を加圧するものである。この結果、この実施形態１に係る検査装置１、検査器具１１は、被検者の検査対象部の全体を加圧する非特許文献１のがん検査装置と比較して、被検者１００に違和感や苦痛を与えることが無い。
【００６６】
この実施形態１に係る検査器具１１は、この実施形態１に係る検査装置１に対して別体であるから、検査室と別の更衣室等で、装備することができるので、被検者１００に違和感を与えることが無い。
【００６７】
この実施形態１に係る検査器具１１は、被検者１００の検査対象部１０１の周囲に密着状態もしくはほぼ密着状態で粘着する粘着性を有する部材からなる装着部１３を備えるものである。この結果、この実施形態１に係る検査器具１１は、容易に装着することができるので、被検者１００にとって喜ばしい。
【００６８】
（実施形態２の説明）
図５、図６は、この発明に係る検査装置、検査器具の実施形態２を示す。以下、この実施形態２に係る検査装置、検査器具２１について説明する。図中、図１〜図４と同符号は、同一のものを示す。
【００６９】
前記の実施形態１に係る検査器具１１は、４個のバルーンからなる加圧部１２と、装着部１３と、覆い部１４と、を備えるものである。これに対して、この実施形態２に係る検査器具２１は、４本のリボンからなる加圧部２２と、装着部１３と、を備えるものである。なお、この実施形態２に係る検査装置は、図示されていないが、前記の実施形態１に係る検査装置１とほぼ同様に、光照射部と、撮像部と、画像処理部と、表示部と、移動式スタンドと、を備える。
【００７０】
加圧部２２は、光透過性（少なくとも、光照射部１５から照射される所定の波長の光に対して透過性）を有する。４本の加圧部２２の一端は、装着部１３の上部の左右と側部（右側部）の上下との４か所に固定されている。４本の加圧部２２の他端部は、装着部１３の下部の左右と側部（左側部）の上下との４か所の保持部２２０に保持されている。保持部２２０は、装着部１３に設けられていて、４本の加圧部２２の他端を通して保持する。４本の加圧部２２の他端は、検査装置の駆動部もしくは別個の駆動部に連結されている。駆動部の駆動により、４本の加圧部２２の他端は、図６中の実線矢印方向に引っ張られる。なお、加圧部２２の本数や固定保持位置などは、限定されない。また、加圧部２２の素材としては、たとえば、シリコーンなどからなり、波長が６４０ｎｍ付近の光の透過性が良い素材が好ましい。また、この実施形態２に係る検査器具、検査装置２１の加圧および光照射による検査と併用して医療用超音波検査装置の超音波による検査を行う場合には、光透過性の素材に併せて、音響インピーダンスが検査対象部１０１の皮膚（肌）とほぼ同等の１．５２Ｍｋｇ／ｓ・ｍ 2 である素材が好ましい。
【００７１】
この実施形態２に係る検査装置、検査器具２１は、以上のごとき構成からなるので、４本の加圧部２２のうち任意の加圧部２２の他端を図６中の実線矢印方向に引くことにより、被検者１００の検査対象部１０１の一部分を加圧することができる。この結果、この実施形態２に係る検査装置、検査器具２１は、前記の実施形態１に係る検査装置１、検査器具１１とほぼ同様に、個人差がある被検者１００の検査対象部１０１であっても、がんが関与する異常な血管新生の領域を高精度に検出することができる。また、この実施形態２に係る検査装置、検査器具２１は、被検者１００に違和感や苦痛を与えることが無い。さらに、この実施形態２に係る検査器具２１は、前記の実施形態１に係る検査器具１１とほぼ同様の効果を達成することができる。
【００７２】
（実施形態３の説明）
図７、図８は、この発明に係る検査装置、検査器具の実施形態３を示す。以下、この実施形態３に係る検査装置３、検査器具について説明する。図中、図１〜図６と同符号は、同一のものを示す。
【００７３】
前記の実施形態１、２に係る検査装置１、検査器具１１、２１は、４個のバルーンからなる加圧部１２、４本のリボンからなる加圧部２２を備えるものである。これに対して、この実施形態３に係る検査装置３、検査器具は、４本のエアガンもしくはエアノズルからなる加圧部３２を備えるものである。４本の加圧部３２は、検査装置３の流体供給排出部もしくは別個のコンプレッサに連結されている。流体供給排出部もしくは別個のコンプレッサの駆動により、４本の加圧部３２は、圧縮空気を図７、図８中の実線矢印方向に噴射させる。４本の加圧部３２は、操作者自らもしくはロボットアームを介して操作される。なお、加圧部３２の本数や操作などは、限定されない。
【００７４】
この実施形態３に係る検査装置３、検査器具は、以上のごとき構成からなるので、４本の加圧部３２のうち任意の加圧部３２から圧縮空気を図７、図８中の実線矢印方向に噴射させることにより、被検者１００の検査対象部１０１の一部分を加圧することができる。この結果、この実施形態３に係る検査装置３、検査器具は、前記の実施形態１、２に係る検査装置１、検査器具１１、２１とほぼ同様に、個人差がある被検者１００の検査対象部１０１であっても、がんが関与する異常な血管新生の領域１０２を高精度に検出することができる。また、この実施形態３に係る検査装置３、検査器具は、被検者１００に違和感や苦痛を与えることが無い。
【００７５】
なお、この実施形態３において、装着部と、可撓性および光透過性を有する覆い部と、を備える検査器具（たとえば、図１に示す装着部１３と覆い部１４とを備える検査器具）が使用されれば、検査対象部１０１が露出されないので、被検者１００にとって喜ばしい。なお、装着部を粘着性を有するものを使用すれば、装着が容易となる。また、この実施形態３に係る検査装置は、図示されていないが、前記の実施形態１に係る検査装置１とほぼ同様に、画像処理部と、表示部と、移動式スタンドと、を備える。
【００７６】
（実施形態４の説明）
図９、図１０は、この発明に係る検査装置、検査器具の実施形態４を示す。以下、この実施形態４に係る検査装置４、検査器具について説明する。図中、図１〜図８と同符号は、同一のものを示す。
【００７７】
前記の実施形態１、２、３に係る検査装置１、３、検査器具１１、２１は、４個のバルーンからなる加圧部１２、４本のリボンからなる加圧部２２、４本のエアガンもしくはエアノズルからなる加圧部３２を備えるものである。これに対して、この実施形態４に係る検査装置４、検査器具は、４本の加圧ハンドもしくは加圧ロッドからなる加圧部４２を備えるものである。４本の加圧部４２は、先端に検査対象部１０１の一部分を押圧する押圧部４２０を有する。押圧部４２０のうち検査対象部１０１に当たる面は、湾曲形状をなす。４本の加圧部４２は、操作者自らもしくはロボットアームを介してシリンダなどで操作される。なお、加圧部４２の本数や操作などは、限定されない。
【００７８】
この実施形態４に係る検査装置４、検査器具は、以上のごとき構成からなるので、４本の加圧部４２のうち任意の加圧部４２の押圧部４２０を図９、図１０中の実線矢印方向に押圧させることにより、被検者１００の検査対象部１０１の一部分を加圧することができる。この結果、この実施形態４に係る検査装置４、検査器具は、前記の実施形態１、２、３に係る検査装置１、検査器具１１、２１とほぼ同様に、個人差がある被検者１００の検査対象部１０１であっても、がんが関与する異常な血管新生の領域１０２を高精度に検出することができる。また、この実施形態４に係る検査装置４、検査器具は、被検者１００に違和感や苦痛を与えることが無い。
【００７９】
なお、この実施形態４において、前記の実施形態３と同様に、装着部と、可撓性および光透過性を有する覆い部と、を備える検査器具（たとえば、図１に示す装着部１３と覆い部１４とを備える検査器具）が使用されれば、検査対象部１０１が露出されないので、被検者１００にとって喜ばしい。なお、装着部を粘着性を有するものを使用すれば、装着が容易となる。また、この実施形態４に係る検査装置は、図示されていないが、前記の実施形態１に係る検査装置１とほぼ同様に、画像処理部と、表示部と、移動式スタンドと、を備える。
【００８０】
（実施形態５の説明）
図１１、図１２は、この発明に係る検査装置、検査器具の実施形態５を示す。以下、この実施形態５に係る検査装置、検査器具５１について説明する。図中、図１〜図１０と同符号は、同一のものを示す。
【００８１】
前記の実施形態１に係る検査装置１、検査器具１１は、別体の装着部１３と覆い部１４とを備えるものである。これに対して、この実施形態５に係る検査装置、検査器具５１は、一体の装着部５３と覆い部１４とを備えるものである。装着部５３は、粘着性を有する部材からなり、断面形状がほぼ三角形をなしていてリップ形状をなす。すなわち、装着部５３は、吸盤の周縁部を構成する。なお、装着部５３は、断面三角形以外の形状、たとえば、覆い部１４の断面形状とほぼ同様の断面形状であっても良い。
【００８２】
覆い部１４には、少なくとも１個（この例では、１個）の空気排出口５１０が設けられている。空気排出口５１０には、空気排出管５１１の一端が着脱可能に接続されている。空気排出管５１１の他端は、検査装置の真空ポンプ機能を有する流体供給排出部、もしくは、別個の真空ポンプに着脱可能に接続されている。
【００８３】
流体供給排出部、もしくは、別個の真空ポンプを駆動させて、検査対象部１０１と覆い部１４との間の空間中の空気を、図１１中の実線矢印に示すように、外側に抜く。すると、検査対象部１０１と覆い部１４との間の空間中が負圧となり、装着部５３には、装着部５３を被検者１００に密着させる方向（図１１中の実線矢印方向）の力が作用する。これにより、装着部５３は、被検者１００に確実に密着する。この結果、加圧部１２に圧縮空気を供給して、この加圧部１２で検査対象部１０１の一部分を所定の圧力（１０〜２０ｍｍＨｇ）で加圧する時に、装着部５３は、被検者１００から外れることが無い。
【００８４】
この実施形態５に係る検査装置、検査器具５１は、前記の実施形態１に係る検査装置１、検査器具１１とほぼ同様の効果を達成することができる。なお、この実施形態５に係る検査装置は、図示されていないが、前記の実施形態１に係る検査装置１とほぼ同様に、光照射部と、撮像部と、画像処理部と、表示部と、移動式スタンドと、を備える。
【００８５】
（実施形態６の説明）
図１３は、この発明に係る検査装置、検査器具の実施形態６を示す。以下、この実施形態６に係る検査装置、検査器具６１について説明する。図中、図１〜図１２と同符号は、同一のものを示す。
【００８６】
前記の実施形態１に係る検査装置１、検査器具１１は、検査装置１の光照射部１５および撮像部１６と検査器具１１とを別個に設けたものである。これに対して、この実施形態６に係る検査装置、検査器具６１は、検査装置の光照射部６１５および撮像部６１６を検査器具６１の装着部６３に一体に設けたものである。
【００８７】
すなわち、装着部６３は、剛性を有する部材からなる。装着部６３の下部には、複数個の光源１５１を有する光照射部６１５が、一体に設けられている。また、装着部６３の上部には、ＣＣＤカメラ１６１を有する撮像部６１６が、一体に設けられている。なお、光照射部６１５および撮像部６１６を、剛性を有する覆い部１４に、または、装着部６３および覆い部１４に、一体に設けても良い。
【００８８】
この実施形態６に係る検査装置、検査器具６１は、光照射部６１５および撮像部６１６と装着部６３とを一体に設けたものであるから、光照射部６１５および撮像部６１６を、移動式スタンドと別個にすることができる。この結果、この実施形態６に係る検査装置、検査器具６１は、光照射部６１５の光源１５１を移動式スタンドの電源に、撮像部６１６のＣＣＤカメラを移動式スタンドの画像処理部に、それぞれ接続することにより、移動式スタンドを被検者１００の近くまで移動させる必要が無い。しかも、この実施形態６に係る検査装置、検査器具６１は、複数の光照射部６１５および撮像部６１６に対して、移動式スタンドの画像処理部および電源を共有することができる。
【００８９】
この実施形態６に係る検査装置、検査器具６１は、前記の実施形態１に係る検査装置１、検査器具１１とほぼ同様の効果を達成することができる。なお、この実施形態６においては、加圧部１２、装着部６３および覆い部１４を有する検査器具６１を使用するものである。しかしながら、この発明においては、検査器具として、前記の実施形態２に係る検査器具２１（４本のリボンからなる加圧部２２と、装着部１３と、を備える検査器具２１）を使用しても良い。この場合、光照射部６１５および撮像部６１６は、装着部１３に設けられる。なお、この実施形態６に係る検査装置は、図示されていないが、前記の実施形態１に係る検査装置１とほぼ同様に、画像処理部と、表示部と、移動式スタンドと、を備える。
【００９０】
（実施形態７の説明）
図１４は、この発明に係る検査装置、検査器具の実施形態７を示す。以下、この実施形態７に係る検査装置７、検査器具７１について説明する。図中、図１〜図１３と同符号は、同一のものを示す。
【００９１】
前記の実施形態１に係る検査装置１、検査器具１１は、被検者１００の検査対象部１０１の周囲に密着状態もしくはほぼ密着状態で粘着する粘着性を有する部材からなる装着部１３を備えるものである。これに対して、この実施形態７に係る検査装置７、検査器具７１は、被検者１００の検査対象部１０１の周囲から背中にかけて装着する下着タイプの装着部７３を備えるものである。
【００９２】
この実施形態７に係る検査装置７、検査器具７１は、例えばブラジャーなどの下着タイプの装着部７３を備えるものであるから、普段の下着のように容易に装着することができ、しかも、被検者１００に違和感を与えるようなことが無い。このように、この実施形態７に係る検査装置７、検査器具７１は、前記の実施形態１に係る検査装置１、検査器具１１とほぼ同様の効果を達成することができる。
【００９３】
なお、この実施形態７に係る検査装置７、検査器具７１において、加圧部としては、バルーンタイプの加圧部１２、リボンタイプの加圧部２２、エアガンもしくはエアノズルタイプの加圧部３２、加圧ハンドもしくは加圧ロッドタイプの加圧部４２のうち、任意の加圧部を使用することができる。エアガンもしくはエアノズルタイプの加圧部３２、加圧ハンドもしくは加圧ロッドタイプの加圧部４２を使用する時は、覆い部１４は、可撓性の部材からなるものが好ましい。
【００９４】
また、下着タイプの装着部７３の代わりに、伸縮性の布製品からなるサポータタイプの装着部を使用しても良い。この場合として、覆い部を伸縮性の布製品として装着部と一体にしても良い。しかも、覆い部の一部分に伸縮力が大きいサポート部を設けることにより、このサポート部を加圧部として検査対象部１０１の一部分を加圧することができる。さらに、この実施形態７に係る検査装置７は、図示されていないが、前記の実施形態１に係る検査装置１とほぼ同様に、画像処理部と、表示部と、移動式スタンドと、を備える。
【００９５】
（実施形態８の説明）
図１５、図１６は、この発明に係る検査装置、検査器具の実施形態８を示す。以下、この実施形態８に係る検査装置、検査器具８１について説明する。図中、図１〜図１４と同符号は、同一のものを示す。
【００９６】
この実施形態８に係る検査装置、検査器具８１は、装着部８３と、覆い部８４と、を備えるものである。装着部８３は、被検者１００に装着されるものである。装着部８３は、この例では、環形状もしくは円環形状をなし、被検者１００の検査対象部１０１の周囲に密着状態もしくはほぼ密着状態で粘着する粘着性を有する部材からなる。装着部８３の部材としては、この例では、シリコーンゴムの内面（被検者１００に粘着させる側の面）にシリコーンジェルを設けたものである。装着部８３の断面形状は、ほぼ三角形をなしていてリップ形状をなす。すなわち、装着部８３は、吸盤の周縁部を構成する。なお、装着部８３は、断面三角形以外の形状、たとえば、覆い部８４の断面形状とほぼ同様の断面形状であっても良い。
【００９７】
覆い部８４は、この例では、カップ形状をなし、光透過性（少なくとも、光照射部から照射される所定の波長の光に対して透過性）および可撓性を有する部材、この例では、シリコーンゴムなどからなる。覆い部８４の開口部の周縁部は、装着部８３に一体に設けられている。覆い部８４は、装着部８３が被検者１００に装着されると、検査対象部１０１を覆うものである。なお、覆い部８４の素材としては、たとえば、シリコーンなどからなり、波長が６４０ｎｍ付近の光の透過性が良い素材が好ましい。また、この実施形態８に係る検査器具、検査装置８１の加圧および光照射による検査と併用して医療用超音波検査装置の超音波による検査を行う場合には、光透過性の素材に併せて、音響インピーダンスが検査対象部１０１の皮膚（肌）とほぼ同等の１．５２Ｍｋｇ／ｓ・ｍ 2 である素材が好ましい。
【００９８】
覆い部８４には、複数個、この例では、４個の流体供給排出口８１０が設けられている。４個の流体供給排出口８１０には、４本の流体供給排出管８１１の一端が着脱可能に接続されている。４本の流体供給排出管８１１の他端は、検査装置の真空ポンプ機能を有する流体供給排出部に着脱可能に接続されている。なお、流体供給排出口８１０の位置や個数は、特に限定しない。
【００９９】
コンピュータ制御に基づいて、流体供給排出部を駆動させて、検査対象部１０１と覆い部８４との間の空間中の空気を、図１５、図１６中の実線矢印に示すように、外側に抜く。すると、検査対象部１０１と覆い部８４との間の空間中が負圧となり、装着部８３には、装着部８３を被検者１００に密着させる方向の力が作用する。これにより、装着部８３は、被検者１００に確実に密着する。この状態において、検査対象部１０１の任意の部分、この例では、上側の部分を加圧空間部８１２により、所定の圧力（１０〜２０ｍｍＨｇ）で加圧する。すなわち、流体供給排出部から圧縮空気を上側の流体供給排出管８１１および上側の流体供給排出口８１０を介して検査対象部１０１の上側の部分と覆い部８４の上側の部分との間に供給して加圧空間部８１２を形成する。
【０１００】
この実施形態８に係る検査装置、検査器具８１は、前記の実施形態１に係る検査装置１、検査器具１１とほぼ同様の効果を達成することができる。特に、この実施形態８に係る検査装置、検査器具８１は、装着部８３と覆い部８４とからなる検査器具８１、もしくは、装着部８３、覆い部８４および複数本の流体供給排出管８１１からなる検査器具８１を、使い捨てにすることができ、衛生的に検査を行うことができる。
【０１０１】
なお、この実施形態８に係る検査装置、検査器具８１は、前記の実施形態６に係る検査装置、検査器具６１とほぼ同様に、装着部８３、覆い部８４のうち少なくともいずれか一方に光照射部と撮像部とを設けることができる。この場合において、装着部８３、覆い部８４は、光照射部と撮像部とを保持する保持力を有することが好ましい。なお、この実施形態８に係る検査装置は、図示されていないが、前記の実施形態１に係る検査装置１とほぼ同様に、画像処理部と、表示部と、移動式スタンドと、を備える。
【０１０２】
（実施形態９の説明）
図１７、図１８は、この発明に係る検査装置、検査器具の実施形態９を示す。以下、この実施形態９に係る検査装置、検査器具９１について説明する。図中、図１〜図１６と同符号は、同一のものを示す。
【０１０３】
この実施形態９に係る検査装置、検査器具９１は、前記の実施形態８に係る検査装置、検査器具８１と、ほぼ同様の構成からなり、コネクタ部９１０と、主流体供給排出管９１１と、止具９１２と、を備える。
【０１０４】
コネクタ部９１０は、この例では、円柱形もしくは円筒形をなす。コネクタ部９１０は、一方の部分の上側部分と、他方の部分の下側部分と、を有する。コネクタ部９１０の上側部分の端面には、複数本の流体供給排出管８１１の他端が着脱可能に接続されている。コネクタ部９１０の下側部分の端面には、主流体供給排出管９１１の一端が着脱可能に接続されている。主流体供給排出管９１１の他端は、検査装置の真空ポンプ機能を有する流体供給排出部に着脱可能に接続されている。複数本の流体供給排出管８１１の一端は、止具９１２を介して覆い部８４の複数個の流体供給排出口８１０に着脱可能に取り付けられている。止具９１２は、複数本の流体供給排出管８１１の一端を覆い部８４の複数個の流体供給排出口８１０から取り外しても、検査対象部１０１と覆い部８４との間の気密性を保つことができるものである。
【０１０５】
コネクタ部９１０は、複数本の流体供給排出管８１１と主流体供給排出管９１１とを着脱可能に接続するものである。また、コネクタ部９１０は、複数本の流体供給排出管８１１および主流体供給排出管９１１を介して、検査器具側の装着部８３および覆い部８４と、検査装置側の流体供給排出部とを、着脱可能に接続するものである。
【０１０６】
コネクタ部９１０は、弁機構をなす。すなわち、コネクタ部９１０は、検査対象部１０１と覆い部８４との間の流体としての空気を外側にもしくは流体供給排出部側に排出した後の検査対象部１０１と覆い部８４との間の負圧を維持する。また、コネクタ部９１０は、流体としての空気を流体供給排出部から検査対象部１０１の一部分と覆い部８４の一部分との間に供給した後の検査対象部１０１の一部分と覆い部８４の一部分との間の加圧空間部（前記の実施形態８に係る検査装置、検査器具８１の図１５、図１６を参照）中の気圧を保持するものである。
【０１０７】
この実施形態９に係る検査装置、検査器具９１は、前記の実施形態８に係る検査装置、検査器具８１とほぼ同様の作用及び効果を達成することができる。特に、この実施形態９に係る検査装置、検査器具９１は、コンピュータ制御に基づいて、流体供給排出部を駆動させることにより、前記の実施形態８に係る検査装置、検査器具８１の作用とほぼ同様に作用して、検査対象部１０１と覆い部８４との間の空間中の空気を外側に抜いて検査対象部１０１と覆い部８４との間の空間中を負圧とし、かつ、コネクタ部９１０により、その負圧を維持することができる。また、流体供給排出部から圧縮空気を検査対象部１０１の一部分と覆い部８４の一部分との間に供給して加圧空間部を形成し、かつ、コネクタ部９１０により、加圧空間部中の気圧を保持することができる。この結果、この実施形態９に係る検査装置、検査器具９１は、高精度の検査を行うことができる。
【０１０８】
しかも、この実施形態９に係る検査装置、検査器具９１は、止具９１２により、複数本の流体供給排出管８１１の一端を覆い部８４の複数個の流体供給排出口８１０から取り外しても、検査対象部１０１と覆い部８４との間の気密性を保つことができる。この結果、この実施形態９に係る検査装置、検査器具９１は、分光法による検査が終了した時点で、複数本の流体供給排出管８１１を覆い部８４から取り外して、そのままの状態で、覆い部８４の上から医療用超音波検査装置の超音波の反射エコーによる検査を行うことができる。
【０１０９】
なお、この実施形態９に係る検査装置、検査器具９１は、前記の実施形態６、８に係る検査装置、検査器具６１、８１とほぼ同様に、装着部８３、覆い部８４のうち少なくともいずれか一方に光照射部と撮像部とを設けることができる。この場合において、装着部８３、覆い部８４は、光照射部と撮像部とを保持する保持力を有することが好ましい。なお、この実施形態９に係る検査装置は、図示されていないが、前記の実施形態１に係る検査装置１とほぼ同様に、画像処理部と、表示部と、移動式スタンドと、を備える。
【０１１０】
（実施形態１０の説明）
図１９は、この発明に係る検査装置、検査器具の実施形態１０を示す。以下、この実施形態１０に係る検査装置１Ａ、検査器具１１Ａについて説明する。図中、図１〜図１８と同符号は、同一のものを示す。
【０１１１】
（実施形態１０の構成の説明）
この実施形態１０に係る検査器具１１Ａは、前記の実施形態１に係る検査器具１１と、ほぼ同様の構成からなり、圧力センサ１１１を備える。また、この実施形態１０に係る検査装置１Ａは、前記の実施形態１に係る検査装置１と、ほぼ同様の構成からなり、圧力センサ１１１と、制御部１１２と、を備える。
【０１１２】
圧力センサ１１１は、覆い部１４の内側（被検者１００の検査対象部１０１に対向する側）に設けられている。圧力センサ１１１は、検査対象部１０１の内圧を検出して電気信号として出力するものである。圧力センサ１１１は、この例では、剛性を有するシート形状をなす。圧力センサ１１１は、薄型の圧力センサが好ましい。
【０１１３】
制御部１１２は、検査器具１１Ａの圧力センサ１１１に信号線１１３を介して接続されている。制御部１１２は、検査器具１１Ａの加圧部１２の加圧を制御する。制御部１１２は、前記の実施形態１に係る検査装置１の画像処理部１７のコンピュータと兼用で使用し、または、別個のコンピュータを使用する。制御部１１２は、前記の実施形態１に係る検査装置１の流体供給排出部１２１に接続されている。なお、この実施形態１０に係る検査装置１Ａは、図示されていないが、前記の実施形態１に係る検査装置１とほぼ同様に、光照射部と、撮像部と、画像処理部と、表示部と、移動式スタンドと、を備える。
【０１１４】
（実施形態１０の作用の説明）
この実施形態１０に係る検査装置１Ａ、検査器具１１Ａは、以上のごとき構成からなり、以下、作用について説明する。
【０１１５】
まず、被検者１００は、検査器具１１Ａを装着する。すると、圧力センサ１１１は、検査器具１１Ａの覆い部１４の内側と被検者１００の検査対象部１０１との間に配置される。つぎに、流体供給排出部を駆動させる。すると、圧縮空気は、加圧部１２中に供給され、被検者１００の検査対象部１０１は、加圧部１２により所定の圧力で加圧される。この時、検査対象部１０１には、加圧部１２の加圧により所定の内圧が発生する。
【０１１６】
圧力センサ１１１は、検査対象部１０１の内圧の情報を、検出して電気信号として、信号線１１３を介して制御部１１２に出力する。制御部１１２は、圧力センサ１１１からフィードバックされた検査対象部１０１の内圧の情報に基づいて、流体供給排出部の駆動を制御する。これにより、加圧部１２中に供給される圧縮空気の量が制御されて、加圧部１２による検査対象部１０１への加圧が制御され、検査対象部１０１の内圧が所定の内圧であって検査に適した内圧に制御される。
【０１１７】
（実施形態１０の効果の説明）
この実施形態１０に係る検査装置１Ａ、検査器具１１Ａは、以上のごとき構成、作用からなるので、前記の実施形態１に係る検査装置１、検査器具１１とほぼ同様の効果を達成することができる。
【０１１８】
特に、この実施形態１０に係る検査器具１１Ａは、圧力センサ１１１により、検査対象部１０１の内圧の情報を、検出して電気信号として、信号線１１３を介して制御部１１２に出力することができる。この結果、この実施形態１０に係る検査器具１１Ａは、圧力センサ１１１により得られた検査対象部１０１の内圧の情報を、有効に利用することができる。
【０１１９】
また、この実施形態１０に係る検査装置１Ａは、制御部１１２により、圧力センサ１１１からフィードバックされた検査対象部１０１の内圧の情報に基づいて、流体供給排出部の駆動を制御することができ、検査器具１１Ａの加圧部１２の加圧を制御することができる。この結果、この実施形態１０に係る検査装置１Ａは、被検者１００の検査対象部１０１の内圧を所定の内圧であって検査に適した内圧に制御することができるので、個人差がある被検者１００の検査対象部１０１であっても、がんが関与する異常な血管新生の領域をさらに高精度に検出することができる。
【０１２０】
なお、この実施形態１０に係る検査装置１Ａは、前記の実施形態１に係る検査装置１（加圧部１２と、装着部１３と、覆い部１４と、を備える検査器具１）を使用するものである。しかしながら、この発明においては、検査器具として、前記の実施形態２に係る検査器具２１（４本のリボンからなる加圧部２２と、装着部１３と、を備える検査器具２１）を使用しても良いし、また、前記の実施形態８に係る検査器具８１（装着部８３と、覆い部８４と、を備える検査器具８１）を使用しても良いし、さらに、前記の実施形態９に係る検査器具９１（装着部８３と、覆い部８４と、コネクタ部９１０と、を備える検査器具９１）を使用しても良い。
【０１２１】
（実施形態１１の説明）
図２０、図２１は、この発明に係る検査装置、検査器具の実施形態１１を示す。以下、この実施形態１１に係る検査装置１Ｂ、検査器具１１Ｂについて説明する。図中、図１〜図１９と同符号は、同一のものを示す。
【０１２２】
（実施形態１１の構成の説明）
この実施形態１１に係る検査器具１１Ｂは、前記の実施形態１に係る検査器具１１と、ほぼ同様の構成からなり、内圧受部１１４と、管部１１５と、流体１１６と、圧力センサ１１７と、を備える。また、この実施形態１１に係る検査装置１Ｂは、前記の実施形態１に係る検査装置１と、ほぼ同様の構成からなり、内圧受部１１４と、管部１１５と、流体１１６と、圧力センサ１１７と、制御部１１８と、を備える。
【０１２３】
内圧受部１１４は、覆い部１４の内側（被検者１００の検査対象部１０１に対向する側）に設けられている。内圧受部１１４は、中空形状をなし、かつ、フレキシブル性を有する部材からなる。内圧受部１１４は、この例では、薄い形状の袋もしくはバルーンからなる。内圧受部１１４は、被検者１００の検査対象部１０１の内圧を受ける。すなわち、内圧受部１１４は、被検者１００の検査対象部１０１の内圧を検出する検出部である。
【０１２４】
管部１１５の一端は、内圧受部１１４に一体に接続されている。管部１１５の一端以外の部分は、覆い部１４の外側に配置されている。管部１１５は、中空形状をなし、かつ、フレキシブル性を有する部材からなる。管部１１５は、この例では、樹脂チューブもしくはゴムチューブからなる。管部１１５は、内圧受部１１４と圧力センサ１１７とを接続するものである。
【０１２５】
流体１１６は、内圧受部１１４の内部および管部１１５の内部に封入されている。流体１１６は、この例では、液体または気体である。流体１１６は、内圧受部１１４で受けた（検出した）検査対象部１０１の内圧を管部１１５を介して圧力センサ１１７に伝達する手段である。
【０１２６】
圧力センサ１１７は、管部１１５の他端に接続されていて、流体１１６と接している状態にある。圧力センサ１１７は、内圧受部１１４で受けた被検者１００の検査対象部１０１の内圧を、内圧受部１１４の内部および管部１１５の内部の流体１１６を介して検出して電気信号として出力するものである。圧力センサ１１７は、任意の圧力センサを使用する。
【０１２７】
制御部１１８は、検査器具１１Ｂの圧力センサ１１７に信号線１１９を介して着脱可能に接続されている。制御部１１８は、検査器具１１Ｂの加圧部１２の加圧を制御する。制御部１１８は、前記の実施形態１に係る検査装置１の画像処理部１７のコンピュータと兼用で使用し、または、別個のコンピュータを使用する。制御部１１８は、前記の実施形態１に係る検査装置１の流体供給排出部１２１に接続されている。なお、この実施形態１１に係る検査装置１Ｂは、図示されていないが、前記の実施形態１に係る検査装置１とほぼ同様に、光照射部と、撮像部と、画像処理部と、表示部と、移動式スタンドと、を備える。
【０１２８】
（実施形態１１の作用の説明）
この実施形態１１に係る検査装置１Ｂ、検査器具１１Ｂは、以上のごとき構成からなり、以下、作用について説明する。
【０１２９】
まず、被検者１００は、検査器具１１Ｂを装着する。すると、内圧受部１１４は、検査器具１１Ｂの覆い部１４の内側と被検者１００の検査対象部１０１との間に配置される。管部１１５および圧力センサ１１７は、検査器具１１Ｂの覆い部１４の外側に配置される。つぎに、流体供給排出部を駆動させる。すると、圧縮空気は、加圧部１２中に供給され、被検者１００の検査対象部１０１は、加圧部１２により所定の圧力で加圧される。この時、検査対象部１０１には、加圧部１２の加圧により所定の内圧が発生する。
【０１３０】
内圧受部１１４は、検査対象部１０１の内圧を受けて内圧受部１１４の内部の流体１１６に伝達する。内圧受部１１４の内部の流体１１６は、内圧受部１１４で受けた検査対象部１０１の内圧を、管部１１５の内部の流体１１６に伝達する。管部１１５の内部の流体１１６は、内圧受部１１４で受けた検査対象部１０１の内圧を、圧力センサ１１７に伝達する。すると、圧力センサ１１７は、内圧受部１１４の内部の流体１１６および管部１１５の内部の流体１１６を介して、内圧受部１１４で受けた検査対象部１０１の内圧の情報を、検出して電気信号として、信号線１１９を介して制御部１１８に出力する。
【０１３１】
制御部１１８は、圧力センサ１１７からフィードバックされた検査対象部１０１の内圧の情報に基づいて、流体供給排出部の駆動を制御する。これにより、加圧部１２中に供給される圧縮空気の量が制御されて、加圧部１２による検査対象部１０１への加圧が制御され、検査対象部１０１の内圧が所定の内圧であって検査に適した内圧に制御される。
【０１３２】
（実施形態１１の効果の説明）
この実施形態１１に係る検査装置１Ｂ、検査器具１１Ｂは、以上のごとき構成、作用からなるので、前記の実施形態１、１０に係る検査装置１、検査器具１１、１１Ａとほぼ同様の効果を達成することができる。
【０１３３】
特に、この実施形態１１に係る検査器具１１Ｂは、検査対象部１０１の内圧を、流体１１６が封入されている内圧受部１１４で一旦受けて、内圧受部１１４の内部の流体１１６および管部１１５の内部の流体１１６を介して、圧力センサ１１７に、伝達するものである。この結果、この実施形態１１に係る検査器具１１Ｂは、検査対象部１０１の内圧を圧力センサで直接検出する場合と比較して、検査対象部１０１の内圧を高感度でかつばらつきが無く平均に検出することができる。しかも、この実施形態１１に係る検査器具１１Ｂは、圧力センサ１１７により得られた高感度でかつばらつきが無く平均に検出した検査対象部１０１の内圧の情報を、有効に利用することができる。
【０１３４】
また、この実施形態１１に係る検査装置１Ｂは、制御部１１８により、圧力センサ１１７からフィードバックされた検査対象部１０１の内圧の情報に基づいて、流体供給排出部の駆動を制御することができ、検査器具１１Ｂの加圧部１２の加圧を制御することができる。この結果、この実施形態１１に係る検査装置１Ｂは、被検者１００の検査対象部１０１の内圧を所定の内圧であって検査に適した内圧に制御することができるので、個人差がある被検者１００の検査対象部１０１であっても、がんが関与する異常な血管新生の領域をさらに高精度に検出することができる。
【０１３５】
なお、この実施形態１１に係る検査装置１Ｂは、前記の実施形態１に係る検査装置１（加圧部１２と、装着部１３と、覆い部１４と、を備える検査器具１）を使用するものである。しかしながら、この発明においては、前記の実施形態１０に係る検査装置１Ａと同様に、検査器具として、前記の実施形態２に係る検査器具２１（４本のリボンからなる加圧部２２と、装着部１３と、を備える検査器具２１）を使用しても良いし、また、前記の実施形態８に係る検査器具８１（装着部８３と、覆い部８４と、を備える検査器具８１）を使用しても良いし、さらに、前記の実施形態９に係る検査器具９１（装着部８３と、覆い部８４と、コネクタ部９１０と、を備える検査器具９１）を使用しても良い。
【０１３６】
（実施形態１２の説明）
図２２〜図２５は、この発明に係る検査装置、検査器具の実施形態１２を示す。以下、この実施形態１２に係る検査装置１Ｃ、検査器具１１Ｃについて説明する。図中、図１〜図２１と同符号は、同一のものを示す。
【０１３７】
（実施形態１２の構成の説明）
この実施形態１２に係る検査器具１１Ｃは、前記の実施形態９に係る検査器具９１の構成と、ほぼ同様の構成からなる。検査器具１１Ｃの覆い部８４の複数個の流体供給排出口８１０のうち少なくとも１個は、そのままとする。残りの流体供給排出口８１０には、バルーン（空気袋）の加圧部１２が接続されている。加圧部１２は、覆い部８４の内側に配置させる。加圧部１２が設けられていないそのままの状態の流体供給排出口８１０の個数および加圧部１２の設ける個数は、任意である。
【０１３８】
なお、図２２、図２４において、装着部８３の断面形状は、覆い部８４の断面形状とほぼ同様であるが、断面三角形の形状であっても良い。また、光照射部は、図２４に示すように、検査器具１１Ｃと別体の光照射部１５あるいは検査器具１１Ｃと一体の光照射部６１５であっても良い。さらに、覆い部８４は、超音波を透過する部材からなるものが好ましい。
【０１３９】
また、この実施形態１２に係る検査装置１Ｃ、検査器具１１Ｃは、前記の実施形態１１に係る検査装置１Ｂ、検査器具１１Ｂと、ほぼ同様の構成からなり、内圧受部１１４と、管部１１５と、流体（図示せず）と、圧力センサ（図示せず）と、制御部（図示せず）と、信号線（図示せず）と、を備える。なお、覆い部８４、加圧部１２および内圧受部１１４の素材としては、たとえば、シリコーンなどからなり、波長が６４０ｎｍ付近の光の透過性が良い素材が好ましい。また、光透過性の素材に併せて、音響インピーダンスが検査対象部１０１の皮膚（肌）とほぼ同等の１．５２Ｍｋｇ／ｓ・ｍ 2 である素材が好ましい。
【０１４０】
さらに、この実施形態１２に係る検査装置１Ｃ、検査器具１１Ｃは、医療用超音波検査装置を備える。医療用超音波検査装置は、プローブ１０４と、信号線１０５と、制御部（図示せず）と、表示部（図示せず）と、を備える。プローブ１０４は、検査対象部１０１に超音波を当てて、その反射エコーを受信して電気信号として信号線１０５を介して制御部に出力する。制御部は、プローブ１０４からの電気信号に基づいて画像処理して反射エコー（反響）を画像化して表示部で表示する。
【０１４１】
制御部は、前記の実施形態１１に係る検査装置１Ｂの制御部１１８と同様に、前記の実施形態１に係る検査装置１の画像処理部１７のコンピュータと兼用で使用し、または、別個のコンピュータを使用する。また、表示部は、前記の実施形態１に係る検査装置１の表示部１８と兼用で使用し、または、別個の表示部を使用する。さらに、医療用超音波検査装置は、前記の実施形態１に係る検査装置１の移動式スタンド１９と兼用で使用し、または、別個の移動式スタンドを使用する。なお、この実施形態１２に係る検査装置１Ｃは、図示されていないが、前記の実施形態１に係る検査装置１とほぼ同様に、撮像部と、画像処理部と、表示部と、移動式スタンドと、を備える。
【０１４２】
（実施形態１２の作用の説明）
この実施形態１２に係る検査装置１Ｃ、検査器具１１Ｃは、以上のごとき構成からなり、以下、作用について説明する。
【０１４３】
まず、被検者１００は、検査器具１１Ｃを装着する。検査器具１１Ｃの装着部８３は、粘着性を有する部材からなるので、被検者１００の検査対象部１０１の周囲に密着状態もしくはほぼ密着状態で粘着している。検査器具１１Ｃの覆い部８４は、被検者１００の検査対象部１０１を覆っていて、検査対象部１０１から脱落することが無い。この時、検査器具１１Ｃの加圧部１２および内圧受部１１４は、図２２、図２３に示すように、検査器具１１Ｃの覆い部８４の内側と被検者１００の検査対象部１０１との間に配置される。
【０１４４】
つぎに、流体供給排出部を操作して、検査器具１１Ｃの覆い部８４の内側と被検者１００の検査対象部１０１との間の空気を、加圧部１２が設けられていない流体供給排出口８１０から排出する。すると、覆い部８４と検査対象部１０１との間が減圧されて、検査器具１１Ｃの装着部８３が被検者１００の検査対象部１０１の周囲に食い込んで密着する。
【０１４５】
それから、図２４、図２５に示すように、光照射部１５、６１５の光源１５１から近赤外光を検査対象部１０１に照射する。また、流体供給排出部を操作して、圧縮空気を加圧部１２中に供給して、検査対象部１０１の一部分を所定の圧力（１０〜２０ｍｍＨｇ）で加圧する。検査対象部１０１の血管中の酸素化ヘモグロビンと脱酸素化ヘモグロビンとの情報は、分光法により、取得されて、血管画像として表示部に表示される。
【０１４６】
この時、内圧受部１１４は、検査対象部１０１の内圧を受けて検査対象部１０１の内圧の情報を、流体、圧力センサ、信号線を介して、制御部に出力する。制御部は、内圧受部１１４からフィードバックされた検査対象部１０１の内圧の情報に基づいて、流体供給排出部の駆動を制御して、加圧部１２による検査対象部１０１への加圧を制御する。これにより、検査対象部１０１の内圧は、所定の内圧であって検査に適した内圧に制御される。
【０１４７】
被検者１００の検査対象部１０１の加圧と光照射とによる検査が終了した後（あるいは、検査前）に、医療用超音波検査装置による検査を行う。すなわち、プローブ１０４から超音波を覆い部８４の上から検査対象部１０１に当てる。すると、検査対象部１０１からの反射エコーに基づいた画像が、表示部に表示される。
【０１４８】
（実施形態１２の効果の説明）
この実施形態１２に係る検査装置１Ｃ、検査器具１１Ｃは、以上のごとき構成、作用からなるので、前記の実施形態９、１２に係る検査装置１Ｂ、検査器具９１、１１Ｂとほぼ同様の効果を達成することができる。
【０１４９】
特に、この実施形態１２に係る検査装置１Ｃ、検査器具１１Ｃは、医療用超音波検査装置を備えるので、さらに、高精度の検査を行うことができる。しかも、この実施形態１２に係る検査装置１Ｃ、検査器具１１Ｃは、可撓性、光透過性、超音波透過性の部材からなる覆い部８４を使用するので、プローブ１０４から超音波を覆い部８４の上から検査対象部１０１に当てることができる。この結果、この実施形態１２に係る検査装置１Ｃ、検査器具１１Ｃは、加圧および光照射による検査と超音波による検査とを、行うことができる。
【０１５０】
（実施形態１〜１２以外の例の説明）
なお、前記の実施形態１〜１２において、被検者１００の検査対象部１０１は、乳房である。しかしながら、本発明においては、被検者１００の検査対象部１０１として、乳房以外に皮膚などであっても良い。この場合においては、検査対象部からの反射光に基づいて、分光法による検査が行わる。
【０１５１】
なお、本発明は、前記の実施形態１〜１２により限定されるものではない。
【符号の説明】
【０１５２】
１、３、４、７…検査装置
１１、２１、５１、６１、７１、８１、９１、１１Ａ、１１Ｂ…検査器具
１２、２２、３２、４２…加圧部
１３、５３、６３、７３、８３…装着部
１４、８４…覆い部
１５、６１５…光照射部
１５０…受台
１５１…光源
１６、６１６…撮像部
１６０…ホルダ
１６１…ＣＣＤカメラ
１７…画像処理部
１８…表示部
１９…移動式スタンド
１９０…駆動部
１９１…電源
１００…被検者
１０１…検査対象部
１０２  がんが関与する異常な血管新生の領域
１２０…流体供給排出管
１２１…流体供給排出部
２２０…保持部
４２０…押圧部
５１０…空気排出口
５１１…空気排出管
８１０…流体供給排出口
８１１…流体供給排出管
８１２…加圧空間部
９１０…コネクタ部
９１１…主流体供給排出管
９１２…止具
１１１…圧力センサ
１１２…制御部
１１３…信号線
１１４…内圧受部
１１５…管部
１１６…流体
１１７…圧力センサ
１１８…制御部
１１９…信号線
１０４…プローブ
１０５…信号線
【図１】
2019033780.tif 000003
【図２】
2019033780.tif 000004
【図３】
2019033780.tif 000005
【図４】
2019033780.tif 000006
【図５】
2019033780.tif 000007
【図６】
2019033780.tif 000008
【図７】
2019033780.tif 000009
【図８】
2019033780.tif 000010
【図９】
2019033780.tif 000011
【図１０】
2019033780.tif 000012
【図１１】
2019033780.tif 000013
【図１２】
2019033780.tif 000014
【図１３】
2019033780.tif 000015
【図１４】
2019033780.tif 000016
【図１５】
2019033780.tif 000017
【図１６】
2019033780.tif 000018
【図１７】
2019033780.tif 000019
【図１８】
2019033780.tif 000020
【図１９】
2019033780.tif 000021
【図２０】
2019033780.tif 000022
【図２１】
2019033780.tif 000023
【図２２】
2019033780.tif 000024
【図２３】
2019033780.tif 000025
【図２４】
2019033780.tif 000026
【図２５】
2019033780.tif 000027